(57)【要約】【課題】精米機の除糠金網を複数の方法で容易に分解できるようにすること。【解決手段】前後に延長する筒状の搗精室と、搗精室内に収容される搗精ロールとを備える搗精装置が、筐体内に収容される精米機において、搗精室は、筒状の搗精室本体と、前後へ抜き差し可能な搗精室本体を内側に収容する支持枠とを備える。支持枠は、環状の前枠及び後枠と、前枠及び後枠を連結する連結ロッドとを備え、前枠と後枠の間であって搗精室本体の左右側面に対向する位置に左右の着脱空間が形成される。搗精室本体は、半筒型の網板を一対備える除糠金網と、除糠金網の外周側を補強するために半枠を一対備える金網枠と、前枠及び後枠の径方向内側に保持される前部ガイド及び後部ガイドと、連結部材とを備える。前枠及び後枠に収容されている前部ガイド及び後部ガイドに対して、左右の着脱空間側から連結部材及び左右一対の網板及び半枠を着脱可能としてある。【選択図】      図１
2014226658.tif 000002
【特許請求の範囲】
【請求項１】
前後方向に延長する筒状の搗精室と、搗精室内に収容される搗精ロールと、搗精ロールを回転させる回転装置を備える搗精装置が、前及び左右のパネルを着脱可能な筐体内に収容されている精米機において、
搗精室は、筒状の送穀室と、送穀室の径方向外側から前方へ突出する支持枠と、前後方向へ抜き差し可能に支持枠の内側に収容される筒状の搗精室本体とを備え、
支持枠は、前後に対向する環状の前枠及び後枠と、前枠及び後枠を上下の少なくとも一方で連結する連結ロッドとを備え、前枠と後枠の間であって径方向外周部には搗精室本体の左右側面に対向する位置に左右の着脱空間が形成され、
搗精室本体は、前後方向に延長する筒型の除糠金網と、除糠金網の外周側を補強する金網枠と、前枠及び後枠の径方向内側にそれぞれ保持される前部ガイド及び後部ガイドと、除糠金網と金網枠と前部ガイドと後部ガイドとを一体化する連結部材とを備え、
除糠金網は、ほぼ半筒型の網板を左右一対備え、
金網枠は、除糠金網の外周を半周ずつ囲む左右一対の半枠を備え、
前枠及び後枠に収容されている前部ガイド及び後部ガイドに対して、左右の着脱空間側から連結部材及び左右一対の網板及び半枠を着脱可能としてあることを特徴とする精米機の除糠金網の着脱構造。
【請求項２】
連結部材として、除糠金網と金網枠とを連結する第１の連結部材と、前部ガイドと金網枠とを連結する第２の連結部材と、後部ガイドと金網枠とを連結する第３の連結部材とを備えることを特徴とする請求項１記載の精米機の除糠金網の着脱構造。
【請求項３】
前後方向に延長する筒状の搗精室と、搗精室内に収容される搗精ロールと、搗精ロールを回転させる回転装置を備える搗精装置が、前及び左右のパネルを着脱可能な筐体内に収容されている精米機において、
搗精室は、筒状の送穀室と、送穀室の径方向外側から前方へ突出する支持枠と、前後方向へ抜き差し可能に支持枠の内側に収容される筒状の搗精室本体とを備え、
支持枠は、前後に対向する環状の前枠及び後枠と、前枠及び後枠を上下の少なくとも一方で連結する連結ロッドとを備え、前枠と後枠の間であって径方向外周部には搗精室本体の左右側面に対向する位置に左右の着脱空間が形成され、
搗精室本体は、前後方向に延長する筒型の除糠金網と、除糠金網の外周側を補強する金網枠であって後枠の径方向外側に保持される金網枠と、前枠の径方向内側に保持される前部ガイドと、除糠金網と金網枠と前部ガイドとを一体化する連結部材とを備え、
除糠金網は、ほぼ半筒型の網板を左右一対備え、
金網枠は、除糠金網の外周を半周ずつ囲む左右一対の半枠を備え、
前枠に収容されている前部ガイド及び後枠に対して、左右の着脱空間側から連結部材及び左右一対の網板及び半枠を着脱可能としてあることを特徴とする精米機の除糠金網の着脱構造。
【請求項４】
連結部材として、除糠金網と金網枠とを連結する第１の連結部材と、前部ガイドと金網枠とを連結する第２の連結部材とを備えることを特徴とする請求項３記載の精米機の除糠金網の着脱構造。
【請求項５】
搗精装置で精米時に生じる糠を吸引する除糠装置を備え、
除糠装置は、支持枠の外側において支持枠ごと搗精室本体を取り囲む除糠ケースを備え、
除糠ケースは、左右の着脱空間に面する着脱可能な左右の側面板を備えていることを特徴とする請求項１，２，３又は４記載の精米機の除糠金網の着脱構造。
【発明の詳細な説明】
【技術分野】
【０００１】
本発明は、前後方向に延長する筒状の搗精室と、搗精室内に収容される搗精ロールと、搗精ロールを回転させる回転装置を備える搗精装置が、前及び左右のパネルを着脱可能な筐体内に収容されている精米機において、搗精室を構成する要素の一つである除糠金網を着脱する構造に関する。
【背景技術】
【０００２】
精米機の搗精室を構成する主要部品の一つとして、筒型の除糠金網がある。除糠金網の内側で搗精ロールが回転することにより、玄米が除糠金網に押し付けられ、除糠金網は玄米から糠を擦り取る。糠を擦り取る際に除糠金網は磨耗し、磨耗が進行すると精米性能に変化が現れるため、所定の精米量に達すると交換する必要がある。また除糠金網は、精米性能に与える影響が大きいため、精米量に関係なく、定期的に点検や目詰まりの掃除などメンテナンスを必要とする。このようにメンテナンスを要することや製作上の関係で従来の精米の一例として、除糠筒と称する除糠金網について、ほぼ半筒型の網板を左右に突き合わせて筒型に一体化する構造が採用されている（特許文献１）。
【０００３】
また除糠金網の内周側には精白ロールと称する搗精ロールが回転可能に収容されており、砕米や精米ムラが生じないようにするために搗精ロールの回転中心と除糠金網の筒の中心とは、一致するようなっている。具体的には除糠金網の外周側には前後方向の前・中・後にフランヂと称する円形の金網枠が取り付けられており、除糠金網と金網枠とは一体の搗精室本体を形成している。搗精室本体は、内筒と称する送穀室に対して、互いの筒の中心が一致するように取り付けるために、外筒と称する支持枠に対して位置決めされるようになっている。支持枠は、円環と称する前枠及び後枠が前後に対向して配置され、前枠と後枠を互いの上部で連結ロッドで連結する構造となっている。このような支持枠に対して前後方向に抜き差し可能に搗精室本体は構成され、前枠と後枠の内側に搗精室本体は位置決めされて収容されている。
【先行技術文献】
【特許文献】
【０００４】
【特許文献１】実開昭５６−１６４０２９号公報
【発明の概要】
【発明が解決しようとする課題】
【０００５】
ところで水分の多い玄米や誤って既に精米済みの白米が精米機に投入されて精米されることがあり、場合によっては除糠金網が米詰まりすることがある。この場合もメンテナンス時と同様に搗精室本体を手前側に引き出して米詰まりを解消しようとする。但し米詰まりが酷くなると、餅状になった米で除糠金網と搗精ロールとが密着することがあり、搗精室本体を前側に中々引き抜けなくなり、もっと大掛かりな分解作業が必要になる。
【０００６】
そこで米詰まりの場合には搗精室本体を前側に引き抜くのではなく、一対の網板を左右に引き離すように分解できないかと本発明者は思った。しかしながら前枠と後枠の中にはフランヂが収容されて位置決めされており、しかもフランヂを除糠金網から引き抜いてからでないと、一対の網板を左右に引き離すことはできない。
【０００７】
本発明は、上記実情を考慮したもので、搗精室本体を支持枠に対して前側に引き抜いて取り外せるようにすると共に、除糠金網の一対の網板を左右に引き離すように分解できるようにすることを目的とする。
【課題を解決するための手段】
【０００８】
本発明の精米機の除糠金網の着脱構造は、前後方向に延長する筒状の搗精室と、搗精室内に収容される搗精ロールと、搗精ロールを回転させる回転装置を備える搗精装置が、前及び左右のパネルを着脱可能な筐体内に収容されている精米機を前提とする。
【０００９】
また本発明の一例としての精米機の除糠金網の着脱構造は、以下の通りである。
搗精室は、筒状の送穀室と、送穀室の径方向外側から前方へ突出する支持枠と、前後方向へ抜き差し可能に支持枠の内側に収容される筒状の搗精室本体とを備える。
支持枠は、前後に対向する環状の前枠及び後枠と、前枠及び後枠を上下の少なくとも一方で連結する連結ロッドとを備え、前枠と後枠の間であって径方向外周部には搗精室本体の左右側面に対向する位置に左右の着脱空間が形成される。
搗精室本体は、前後方向に延長する筒型の除糠金網と、除糠金網の外周側を補強する金網枠と、前枠及び後枠の径方向内側にそれぞれ保持される前部ガイド及び後部ガイドと、除糠金網と金網枠と前部ガイドと後部ガイドとを一体化する連結部材とを備える。
除糠金網は、ほぼ半筒型の網板を左右一対備える。
金網枠は、除糠金網の外周を半周ずつ囲む左右一対の半枠を備える。
そして前枠及び後枠に収容されている前部ガイド及び後部ガイドに対して、左右の着脱空間側から連結部材及び左右一対の網板及び半枠を着脱可能としてある。
【００１０】
連結部材の設け方は特定しないが、具体的には次のようにすることが望ましい。
すなわち連結部材として、除糠金網と金網枠とを連結する第１の連結部材と、前部ガイドと金網枠とを連結する第２の連結部材と、後部ガイドと金網枠とを連結する第３の連結部材とを備えることである。
【００１１】
また本発明の他の例としての精米機の除糠金網の着脱構造は、以下の通りである。搗精室は、先の例と同じ構成を備えている。支持枠も、先の例と同じ構成を備えている。
搗精室本体は、先の例では存在した後部ガイドを備えていない。すなわち搗精室本体は、前後方向に延長する筒型の除糠金網と、除糠金網の外周側を補強する金網枠であって後枠の径方向外側に保持される金網枠と、前枠の径方向内側に保持される前部ガイドと、除糠金網と金網枠と前部ガイドとを一体化する連結部材とを備える。
除糠金網は、先の例と同じ構成を備えている。金網枠は、先の例と同じ構成を備えている。そして前枠に収容されている前部ガイド及び後枠に対して、左右の着脱空間側から連結部材及び左右一対の網板及び半枠を、先の例と同様に着脱可能としてある。
【００１２】
連結部材の設け方は特定しないが、具体的には次のようにすることが望ましい。
すなわち連結部材として、除糠金網と金網枠とを連結する第１の連結部材と、前部ガイドと金網枠とを連結する第２の連結部材とを備えることである。
【００１３】
精米すると搗精装置から糠が生じる。従って精米機は糠を吸引する除糠装置を備えているものである。また除糠装置は、糠の回収率を高めるため支持枠の外側において支持枠ごと搗精室本体を取り囲む搗精室本体を取り囲む除糠ケースを備えているものである。除糠ケースの着脱構造については問わないが、次のようにすることが望ましい。
すなわち除糠ケースは、左右の着脱空間に面する着脱可能な左右の側面板を備えていることである。
【発明の効果】
【００１４】
本発明によれば、搗精室本体が除糠金網と金網枠と前部ガイドと後部ガイドと連結部材とを備えている場合には、筐体の左右のパネルを外せば、前枠及び後枠に前部ガイド及び後部ガイドが収容されているにも関わらず、左右の着脱空間側から連結部材及び各々左右一対の半枠及び網板を外すことができる。また筐体の前のパネルを外し、支持枠に対して搗精室本体を前側に引き抜いて取り外すこともできる。
【００１５】
また、搗精室本体が除糠金網と金網枠と前部ガイドと連結部材とを備えている場合には、筐体の左右のパネルを外せば、前枠に前部ガイドが収容されているにも関わらず、左右の着脱空間側から連結部材及び各々左右一対の半枠及び網板を外すことができる。また筐体の前のパネルを外し、支持枠に対して搗精室本体を前側に引き抜いて取り外すこともできる。
【００１６】
また除糠装置を備える場合には、支持枠ごと搗精室本体を取り囲む除糠ケースの左右側面板を左右の着脱空間に面するようにしてあるので、左右の側面板を取り外すことによって、左右の着脱空間側から各々左右一対の半枠及び網板の着脱作業を行いやすい。
【図面の簡単な説明】
【００１７】
【図１】搗精室の要部についての分解状態を示す斜視図である。
【図２】搗精室の要部についての組立状態を示す斜視図である。
【図３】搗精装置の要部についての縦断面図である。
【図４】搗精室の支持枠から搗精室本体を前に引き抜いた状態を示す縦断面図である。
【図５】搗精室から除糠金網と金網枠を取り外した状態を示す縦断面図である。
【図６】搗精室を除糠ケースで取り囲んでいる状態を示す側面図である。
【図７】精米機の概要を示す縦断面図である。
【図８】精米機の要部についての他の例を示す縦断面図である。
【発明を実施するための形態】
【００１８】
本発明が適用された第一実施例の精米機は、図７に示すように、玄米投入用のホッパー１、精米用の搗精装置２、搗精装置２で精米時に生じる糠を吸引する除糠装置３、搗精装置２と除糠装置３の各駆動を制御する制御装置５、制御装置５に各種の信号を与える操作装置４、及びこれらを収容する筐体６を備えている。
【００１９】
筐体６は、前後左右上下の六面を構成する各パネルより形成される直方体形状である。また図示しないが、各パネルをフレームにネジで外側から着脱可能に連結してある。なおフレームに対して各装置等が取り付けられている。
【００２０】
ホッパー１は、漏斗形状のホッパー本体１１と、ホッパー本体１１と搗精装置２の搗精室２０とを繋ぐ連結管１２を備えている。ホッパー本体１１は筐体６の上パネルを貫通するように取り付けられている。
また連結管１２の高さ中間部の周面には開口部が形成されており、開口部から連結管１２内に出入りするシャッター１３が設けられ、シャッター１３が図示しない駆動機構によって往復動する。
【００２１】
搗精装置２は、図３、図７に示すようにホッパー１の出口（より詳しく言えば連結管１２の下端の出口）に連通する搗精室２０、搗精室２０内において回転可能に支持される搗精ロール２１、搗精ロール２１を回転させる回転装置２２、搗精室２０の出口を開閉する抵抗板２３、精米の精白度合を調整する抵抗装置３０を備えている。
【００２２】
搗精室２０は、全体として筒型であって、筒の貫通方向が前後方向となるように取り付けられている。より詳しく言えば筒型をなす搗精室２０の一端側（前端側）が他端側（後端側）よりも低くなるように傾斜して取り付けられている。この前端側の開口端が搗精室２０の出口であり、後端側の外周面の上側に玄米の供給口２４ａが形成されている。構成について言えば搗精室２０は、供給口２４ａを上面に有する筒状の送穀室２４と、送穀室２４の径方向外側から前方に突出する支持枠２５と、前後方向に抜き差し可能に支持枠２５の径方向内側に収容されると共に送穀室２４の前端に突き合わせる筒状の搗精室本体４０とを備えている。搗精室本体４０と送穀室２４の互いの筒の中心は、一致している。
【００２３】
送穀室２４は、上面に供給口２４ａを備える筒状であって、前端側が搗精室本体４０に連通する。
【００２４】
支持枠２５は、図１、図２又は図３に示すように、前後に対向する環状（円形のリング状）の前枠２５ａ及び後枠２５ｂと、前枠２５ａ及び後枠２５ｂを互いの上下において連結すると共に前後方向に延長する連結ロッド２５ｃとを備えている。後枠２５ｂを送穀室２４の前端部のフランジに固定する。これにより、前枠２５ａと後枠２５ｂとの間（前後間）であって且つ上下の連結ロッド２５ｃとの間すなわち径方向外側には搗精室本体４０の左右側面に対向する位置に左右の着脱空間２５ｄが形成される。なお前枠２５ａの前端面は径方向外周部が後ろ側に窪んでおり、この窪んだ箇所に除糠ケース３ｄの前面板３ｈが嵌まり込んで位置決めする形態となっており、前枠２５ａに前面板３ｈがネジで固定されている。
【００２５】
搗精室本体４０は、図１、図２、図３に示すように、前後方向に延長する多角形の筒型の除糠金網４１と、除糠金網４１の外周側を補強する骨組状の金網枠４２と、前枠２５ａ及び後枠２５ｂの径方向内側に保持される筒状の前部ガイド４３及び後部ガイド４４と、前部ガイド４３の前面側に順次配置される板状のカバー４５及び環状の出口部材４６及び排出シュート４７とを主要な部品として備え、これら主要な部品を一体化する連結部材をも備えている。
【００２６】
除糠金網４１は、恰も筒を半分に割ったようなほぼ半筒型の網板４１ａを左右一対備えている。図示の例では除糠金網４１は正多角形（正六角形）の筒状である。各網板４１ａは、孔が多数形成された半筒型の網板本体４１ｂと、網板本体４１ｂの径方向外周端である上下から上下に突出する連結片４１ｃとを備えている。各連結片４１ｃは、網板本体４１ｂの長手方向（前後方向）に沿って延長する。一対の網板４１ａは、上側の連結片４１ｃ同士及び下側の連結片４１ｃ同士を左右方向に重ね合わせることによって、多角形の筒型となる。
【００２７】
金網枠４２は、除糠金網４１の外周を半周ずつ左右から囲む一対の半枠４２ａを備えている。各半枠４２ａは、前後に延長する上下の枠桟４２ｂと、上下の枠桟４２ｂをその前端から後端にかけて間隔をあけて接合する複数の半鍔４２ｃとを備えている。左右一対の枠桟４２ｂは、左右方向の内面側に上下各一対の連結片４１ｃを挟むもので、左右方向の内面側であって上下方向の内側には連結片４１ｃを位置決めするための凹部４２ｄが形成されている。また各半鍔４２ｃは、網板４１ａの外周形状（半角筒形状）に沿う半環形状をしている。
【００２８】
後部ガイド４４は、筒状のガイド本体４４ａと、ガイド本体４４ａの前端部から径方向外側に突出するフランジ４４ｂを備える。フランジ４４ｂの前面は、金網枠４２に対する位置決め部として、径方向内周部を前方に突出する形状としてある。それに合わせて金網枠４２の最も後側の半鍔４２ｃの後面は、後部ガイド４４に対する位置決め部として、径方向中間部を後方に突出する形状としてある。従って後部ガイド４４の前面の位置決め部は、金網枠４２の後面の位置決め部に対して径方向内側に配置されている。
前部ガイド４３は、円盤である。また前部ガイド４３の後面、及び金網枠４２の最も前側の鍔の前面にも、互いに対する位置決め部が、同様に形成されている。つまり前部ガイド４３の後面の位置決め部は、金網枠４２の前面の位置決め部に対して径方向内側に配置されている。
【００２９】
カバー４５は、前部ガイド４３よりも径の小さな開口が円形に形成された板であり、この開口は前部ガイド４３の円形状の内部空間の中心に対して下側に偏心した位置に配置される。カバー４５の後面、及び前部ガイド４３の前面にも、互いに対する位置決め部が形成されている。
【００３０】
出口部材４６は、筒状の出口部材本体４６ａと、出口部材本体４６ａの貫通方向における中間部から径方向外側に突出するフランジ４６ｂを備える。出口部材本体４６ａは、フランジ４６ｂよりも後部をカバー４５の開口に差し込んで位置決めする。
【００３１】
排出シュート４７は、出口部材４６の前面側に配置されると共に出口部材４６をカバー４５との前後間に挟むもので、カバー４５の前面側に配置される中央板４７ａと、中央板４７ａの左右側部から前方に突出する一対の保持板４７ｂとを備えるものである。中央板４７ａの上部に対して下部は、下方に向かうにつれて前方へ突出するように屈曲している。また中央板４７ａの上部には開口が形成されており、この開口の内側に出口部材４６の前部が差し込まれて位置決めされる。従って中央板４７ａとカバー４５との間には出口部材４６のフランジ４６ｂが挟持される。また中央板４７ａから前側に出口部材４６は突出していることから、出口部材４６が搗精室本体４０の前部を構成しており、出口部材４６の前端開口が搗精室本体４０の出口となる。また除糠金網４１の後側に位置する部材すなわち後部ガイド４４が搗精室本体４０の後部を構成しており、後部ガイド４４の前端開口が搗精室本体４０の入口となり、後部ガイド４４の後部を後枠２５ｂの内周面に沿うように挿入してある。
【００３２】
連結部材は、図１、図２に示すように、除糠金網４１と金網枠４２と前部ガイド４３と後部ガイド４４とカバー４５と出口部材４６と排出シュート４７とを一体化する。連結部材として、対となるオネジとメネジが複数用いられる。より詳しく言えば、オネジの連結部材として、除糠金網４１と金網枠４２とを連結する第１の連結部材Ｒ１と、前部ガイド４３と金網枠４２とを連結する第２の連結部材Ｒ２と、後部ガイド４４と金網枠４２とを連結する第３の連結部材Ｒ３と、カバー４５と出口部材４６と排出シュート４７とを連結する第４の連結部材Ｒ４と、カバー４５と前部ガイド４３とを連結する第５の連結部材Ｒ５と、カバー４５と除糠ケース３ｄの前面板３ｈとを連結する第６の連結部材Ｒ６とを備えている。各連結部材は、除糠金網４１等の筒の周方向に間隔をあけて複数設けられている。
第１の連結部材Ｒ１のため金網枠４２の上下において対向する左右一対の枠桟４２ｂにはオネジ軸部挿通用の貫通孔Ｒ１１とメネジＲ１２とが対向する位置に形成されている。  第２の連結部材Ｒ２のため前部ガイド４３にはメネジＲ２２が、金網枠４２の最も前側の鍔にはオネジ軸部挿通用の貫通孔Ｒ２１が、互いに対向する位置に形成されている。
第３の連結部材Ｒ３のため後部ガイド４４にはフランジ４４ｂの外周部にメネジＲ３２が、金網枠４２の最も後側の鍔にはオネジ軸部挿通用の貫通孔Ｒ３１が互いに対向する位置に形成されている。
第４の連結部材Ｒ４のため出口部材４６のフランジ４６ｂと排出シュート４７の中央板４７ａにはオネジ軸部挿通用の貫通孔（図示略）が、カバー４５にはメネジ（図示略）が、互いに対向する位置に形成されている。
第５の連結部材Ｒ５のためカバー４５にはオネジ軸部挿通用の貫通孔Ｒ５１が、前部ガイド４３にはメネジＲ５２が、互いに対向する位置に形成されている。なお図１の例では、第５の連結部材Ｒ５用のメネジＲ５２は、第２の連結部材Ｒ２用のメネジＲ２２と、同じ孔に形成されており、孔の後部側が第２の連結部材Ｒ２用のメネジＲ２２であり、孔の前部側が第５の連結部材Ｒ５用のメネジＲ５２となっている。
第６の連結部材Ｒ６のためカバー４５にはオネジ軸部挿通用の貫通孔Ｒ６１が、除糠ケース３ｄの前面板３ｈにはメネジＲ６２が、互いに対向する位置にされている。
【００３３】
搗精ロール２１は、図３に示すように、送穀室２４に収容される送穀ロール２１ａと、搗精室２０に収容される搗精ロール本体２１ｂとを備え、送穀ロール２１ａと搗精ロール本体２１ｂとを一直線に連結したものである。
送穀ロール２１ａは、その外周面においてホッパー１の真下側にはスクリューが形成されている。また送穀ロール２１ａは、スクリューよりも後側において段付きの大径部２１ｃを備え、大径部２１ｃの外周面と送穀室２４の内周面との間を玄米が通過しないようにしてある。さらに送穀ロール２１ａは、大径部２１ｃよりも後側において送穀ロール２１ａと送穀室２４との間にベアリング２１ｄを収容してある。従って送穀ロール２１ａひいては搗精ロール２１は回転可能に支持されている。
搗精ロール本体２１ｂは、円柱状の外周面には搗精片を放射状に突出しており、搗精片は前後方向に延長している。また搗精ロール本体２１ｂは、除糠金網２０ｄ内に収容されている。
【００３４】
回転装置２２は、図７に示すように、搗精ロール２１を回転させるメインモータ２２ａを主としており、送穀ロール２１ａから後方に突出する軸部とメインモータ２２ａの出力軸とにプーリをそれぞれ固定し、互いのプーリにベルト２２ｂを掛けたものである。
【００３５】
抵抗板２３は、搗精室本体４０の出口を塞ぐために、その出口よりも大きい板が用いられている。
【００３６】
抵抗装置３０は、精米の精白度合を調整するものであって、抵抗板２３を揺動可能に支持する揺動機構３１と、抵抗板２３を搗精室２０の出口へ向かって押し付ける力すなわち抵抗力を調整する抵抗装置本体３２とを備えている。
【００３７】
揺動機構３１は、排出シュート４７の左右の保持板４７ｂと、一対の保持板４７ｂ間に架け渡される支軸３１ａと、支軸３１ａに長さ中間部を挿通して支持されるアーム３１ｂとを備えている。アーム３１ｂの下端部の前側には抵抗板２３が連結されている。またアーム３１ｂの上端部は二又に分岐するＵ字状となっている。
【００３８】
抵抗装置本体３２は、抵抗モータ３３と、抵抗モータ３３の出力軸に一直線に連結するネジ軸３４と、ネジ軸３４に螺合するナット体３５と、ネジ軸３４に挿通するバネ３６（コイルスプリング）とを備え、ネジ軸３４に上端部が螺合されるナット体３５とネジ軸３４に上端部（Ｕ字状の部分の内側）が挿通されるアーム３１ｂとの間にバネ３６を挟んでいる。
なお抵抗装置本体３２は、除糠ケース３ｄの天面板３ｋの上に固定されている。
ナット体３５は、図示しない保持部材によりネジ軸３４の周方向に回転不能に保持されている。従って抵抗モータ３３によりネジ軸３４を正転又は逆転回転させると、それに伴なってナット体３５は前進又は後退する。ナット体３５が前進又は後退する位置によってバネ３６の前端の位置が変化し、アーム３１ｂが揺動し、抵抗板２３が搗精室２０の出口に強く又は弱く押し付けられる。従ってナット体３５の位置を調整することによって抵抗力が調整される。
【００３９】
除糠装置３は、図３、図６又は図７に示すように、搗精室２０の周囲を下向きに開口する状態で覆う除糠ケース３ｄと、除糠ケース３ｄの下部に接続する糠回収ダクト３ａと、糠回収ダクト３ａの途中の部屋に収容される除糠ファン３ｂと、除糠ファン３ｂを回すファンモータ３ｃと、糠回収ダクト３ａの末端側に接続される回収装置としてのサイクロン（図示せず）とを備えている。
除糠ケース３ｄは、下向きに開口するもので、支持枠２５の外側において支持枠２５ごと搗精室本体４０を取り囲む状態に固定されている。より詳しく言えば除糠ケース３ｄは、前後の面板３ｈ，３ｉと、左右の面板３ｊと、上側の面板３ｋから構成されている。後枠２５ｂと送穀室２４の前後間には後面板３ｉが径方向外側に突出する状態で挟まれて固定されており、前枠２５ａの前側には前記したように前面板３ｈが径方向外側に突出する状態で固定されている。この前後の面板３ｈ，３ｉはその上端から水平方向に屈曲する片をそれぞれ備えており、両片の上に天面板３ｋが固定されている。また前後の面板３ｈ，３ｉは左右の両側端から水平方向に屈曲する片をそれぞれ備えており、左右の同方向における両片に左右の側面板３ｊがそれぞれ着脱可能に連結されている。しかも左右の側面板３ｊは、その外周部を構成する取付枠３ｓと、取付枠３ｓの内側に形成される窓３ｔを塞ぐメンテナンス板３ｕとを備え、メンテナンス板３ｕを取付枠３ｓに対して着脱可能としてある。窓３ｔは、着脱空間２５ｄに面しており、それゆえメンテナンス板３ｕを外せば、金網枠４２全体が側方から見え、前部ガイド４３と後部ガイド４４とが金網枠４２にそれぞれ連結している部分も見える。このような除糠ケース３ｄの下部に糠回収ダクト３ａが接続されている。
また除糠装置３は、ファンモータ３ｃで除糠ファン３ｂを回し、糠回収ダクト３ａ内に生じる吸引作用によって糠は、除糠金網４１の孔を通過し、サイクロンに回収される。
【００４０】
操作装置４は、操作パネルであり、運転開始部、運転停止部、精白度合を設定する精白度合操作部としての減圧操作部及び加圧操作部、精白度合を表示する精白度合表示部を備えている。運転開始部を操作すると、メインモータ２２ａ、ファンモータ３ｃを制御装置５が駆動させ、精米を開始し、運転停止部を操作すると、メインモータ２２ａ、ファンモータ３ｃを制御装置５が停止させる。また減圧操作部を操作すると、制御装置５が抵抗モータ３３を所定方向に所定角度回して抵抗板２３が搗精室２０の出口を塞ぐ力を弱め、加圧操作部を操作すると制御装置５が抵抗モータ３３を所定方向に所定角度回して搗精室２０の出口を塞ぐ力を強める。そして、現在の精白度合を制御装置５が精白度合表示部に表示させる。
【００４１】
制御装置５は、入力インターフェースと、出力インターフェースと、ＣＰＵ・メモリを備えるいわゆるマイクロコンピュータとを備えている。メモリには所定のプログラムデータが記録されており、操作装置４から出力される信号を、入力インターフェースを介してＣＰＵに取り込み、プログラムデータに基づく処理をＣＰＵが実行し、処理後の信号をＣＰＵから出力インターフェースを介して各種装置に出力する。
【００４２】
上記した第一実施例の精米機には、本発明の第一実施形態の除糠金網４１の着脱構造が含まれており、２通りの方法で、除糠金網４１を着脱することができる。組み立てられた状態の精米機から除糠金網４１を取り外す手順を各方法について以下に説明し、除糠金網４１を取り付ける手順については取り外す手順の逆なので割愛する。
【００４３】
第１の方法は、除糠金網４１を着脱空間２５ｄ側から外す方法である。
（１）筐体６の左右のパネルのうち片側を外し、図６に示すように、除糠ケース３ｄが片側の側面から見えるようにする。
（２）除糠ケース３ｄの左右のうち片側の側面板３ｊ又はメンテナンス板３ｕを外す。ここではメンテナンス板３ｕを外すものとする。すると、窓３ｔから図１で示した金網枠４２及び第１、第２、第３の連結部材Ｒ１，Ｒ２，Ｒ３のオネジが見える。
（３）窓３ｔから着脱空間２５ｄに作業工具を挿入し、見えたオネジを回して外し、金網枠４２の片側の半枠４２ａ及び網板４１ａを着脱空間２５ｄから引き抜く。ここで反対側の半枠４２ａは前部ガイド４３及び後部ガイド４４に対して反対側の着脱空間２５ｄ側において第２、第３の連結部材Ｒ２，Ｒ３で連結されているので、落下することは無い。
（４）前記した（１）、（２）、（３）と同様の手順で、左右のパネルのうち反対側、メンテナンス板３ｕ、第２、第３の連結部材Ｒ２，Ｒ３のオネジを順次外し、反対側の半枠４２ａ及び網板４１ａを着脱空間２５ｄから引き抜く。すると図５に示すように、前枠２５ａには前部ガイド４３が収容され、後枠２５ｂには後部ガイド４４が収容されている状態となっている。
【００４４】
第２の方法は、搗精室本体４０を支持枠２５に対して前後方向に抜き出す方法である。
（１）筐体６の前パネルを外し、図３に示すように、排出シュート４７が見えるようにする。
（２）支軸３１ａを排出シュート４７から外し、アーム３１ｂを下方に移動させることによりネジ軸３４からアーム３１ｂの上端部（Ｕ字状の部分）を抜き外して、抵抗板２３が以後の作業に支障の無いようにする。
（３）また（２）と相前後して図２に示すように、排出シュート４７の前側から第６の連結部材Ｒ６のオネジを外し、搗精室本体４０と支持枠２５との連結を解除する。
（４）図２、図４に示すように、搗精室本体４０を前側に引き抜く。これによって送穀室２４に連結されている支持枠２５と、搗精室本体４０とは分解される。
（５）図１に示すように、第１、第２、第３、第４、第５の連結部材Ｒ１〜Ｒ５のオネジを回して外す。これにより除糠金網４１（一対の網板４１ａ）、金網枠４２（一対の半枠４２ａ）、前部ガイド４３、後部ガイド４４、カバー４５、出口部材４６、排出シュート４７を分解することができる。
【００４５】
本発明の第二実施形態の除糠金網の着脱構造は、図８に示すように、搗精室本体４０と支持枠２５との関係が第一実施形態の除糠金網の着脱構造と相違している。
搗精室本体４０は、除糠金網４１と金網枠４２と前部ガイド４３と出口部材４６と排出シュート４７、及びこれらを連結する連結部材とを備えている。従って、搗精室本体４０には第一実施形態での独立した部品としての後部ガイド４４は無く、その代わりに第一実施形態での後部ガイド４４と支持枠２５の後枠２５ｂに相当する部分が一体となった後枠２５ｂとなっており、それ故第３の連結部材Ｒ３も無い。なお金網枠４２は後枠２５ｂの径方向外側に位置決めして保持される。
また搗精室本体４０には、第一実施形態での独立した部品としてのカバー４５も無いが、その代わりに第一実施形態でのカバー４５と前部ガイド４３に相当する部分が一体となった一部品としての前部ガイド４３となっており、それ故第５の連結部材Ｒ５も無い。なお前部ガイド４３は前枠２５ａの径方向内側に位置決めして保持される。
従って連結部材としては、図示しないが、第１、第２、第４の連結部材Ｒ１，Ｒ２，Ｒ４のみが存在する。
【００４６】
上記した本発明の第二実施形態の除糠金網４１の着脱構造でも、第一実施形態の場合と同様に、２通りの方法で、除糠金網４１を着脱することができる。
【００４７】
本発明は上記実施形態に限定されるものではなく、その趣旨を逸脱しない範囲において適宜変更可能である。例えば除糠ケース３ｄの左右側面板３ｊはメンテナンス板３ｕの無い一枚板で構成されるものであっても良い。
【符号の説明】
【００４８】
１  ホッパー
１１  ホッパー本体
１２  連結管
１３  シャッター
２  搗精装置
２０  搗精室
２１  搗精ロール
２１ａ送穀ロール
２１ｂ搗精ロール本体
２１ｃ大径部
２１ｄベアリング
２２  回転装置
２２ａメインモータ
２２ｂベルト
２３  抵抗板
２４  送穀室
２４ａ供給口
２５  支持枠
２５ａ前枠
２５ｂ後枠
２５ｃ連結ロッド
２５ｄ着脱空間
３０  抵抗装置
３１  揺動機構
３１ａ支軸
３１ｂアーム
３２  抵抗装置本体
３３  抵抗モータ
３４  ネジ軸
３５  ナット体
３６  バネ
３  除糠装置
３ａ糠回収ダクト
３ｂ除糠ファン
３ｃファンモータ
３ｄ除糠ケース
３ｈ前面板
３ｉ後面板
３ｊ側面板
３ｋ天面板
３ｓ取付枠
３ｔ窓
３ｕメンテナンス板
４０  搗精室本体
４１  除糠金網
４１ａ網板
４１ｂ網板本体
４１ｃ連結片
４２  金網枠
４２ａ半枠
４２ｂ枠桟
４２ｃ半鍔
４２ｄ凹部
４３  前部ガイド
４４  後部ガイド
４４ａガイド本体
４４ｂフランジ
４５  カバー
４６  出口部材
４６ａ出口部材本体
４６ｂフランジ
４７  排出シュート
４７ａ中央板
４７ｂ保持板
４  操作装置
５  制御装置
６  筐体
Ｒ１  第１の連結部材
Ｒ１１貫通孔
Ｒ１２メネジ
Ｒ２  第２の連結部材
Ｒ２１貫通孔
Ｒ２２メネジ
Ｒ３  第３の連結部材
Ｒ３１貫通孔
Ｒ３２メネジ
Ｒ４  第４の連結部材
Ｒ５  第５の連結部材
Ｒ５１貫通孔
Ｒ５２メネジ
Ｒ６  第６の連結部材
Ｒ６１貫通孔
Ｒ６２メネジ
【図１】
2014226658.tif 000003
【図２】
2014226658.tif 000004
【図３】
2014226658.tif 000005
【図４】
2014226658.tif 000006
【図５】
2014226658.tif 000007
【図６】
2014226658.tif 000008
【図７】
2014226658.tif 000009
【図８】
2014226658.tif 000010